(57)【要約】【課題】内部に電子機器を収納し、当該電子機器の発生する騒音を削減する、静音ラックを提供する。【解決手段】内部に電子機器を収納し、電子機器の騒音を削減するための静音ラックであって、電子機器を配置する収納箱体と、前記収納箱体に外部から空気を導入する吸気箱体と、前記収納箱体から外部に空気を排出する排気箱体と、からなり、前記吸気箱体及び前記排気箱体を膨張室型消音器構造により構成したことを特徴とする静音ラック。【選択図】図１
2011228527.tif 000002
【特許請求の範囲】
【請求項１】
内部に電子機器を収納し、電子機器の騒音を削減するための静音ラックであって、
電子機器を配置する収納箱体と、前記収納箱体に外部から空気を導入する吸気箱体と、前記収納箱体から外部に空気を排出する排気箱体と、からなり、
前記吸気箱体及び前記排気箱体を膨張室型消音器構造により構成したことを特徴とする、
静音ラック。
【請求項２】
請求項１に記載の静音ラックにおいて、前記吸気箱体は、外部と接続する吸気口を上部に有すると共に、前記収納箱体と連続する吸気ファンを有し、前記排気箱体は、外部と接続する排気口を下部に有すると共に、前記収納箱体と連続する排気ファンを有することを特徴とする、静音ラック。
【請求項３】
請求項１又は請求項２に記載の静音ラックにおいて、前記収納箱体は、前記吸気箱体と前記排気箱体間を遮断する遮蔽板を有することを特徴とする、静音ラック。
【請求項４】
請求項１乃至請求項３のいずれか一項に記載の静音ラックにおいて、前記吸気箱体及び前記排気箱体は扉体であり、前記吸気箱体及び前記排気箱体は前記収納箱体に嵌合することを特徴とする、静音ラック。
【請求項５】
請求項１乃至請求項４のいずれか一項に記載の静音ラックにおいて、前記収納箱体は、下部に配線取り出し口を有し、前記配線取り出し口は、吸音体により封止することを特徴とする、静音ラック。
【発明の詳細な説明】
【技術分野】
【０００１】
本発明は、サーバーやパソコン等の電子機器を収納するラックに関し、特に電子機器が発生する騒音を削減する、静音ラックに関するものである。
【背景技術】
【０００２】
サーバーやパソコン等の電子機器に内蔵されているＣＰＵやＨＤＤ等のハードウェアは、使用時に熱を発生する。そのため、電子機器内部に冷却ファンを設け、電子機器外部の空気を装置内に取り込んで換気することにより、当該ハードウェアを冷却している。
【発明の概要】
【発明が解決しようとする課題】
【０００３】
電子機器内部に配置する冷却ファンは騒音を発生するため、使用者は騒音に悩まされることになる。
特にサーバーは複数台を並べて配置することが多いため、騒音も大きくなり、サーバーの設置場所が制限されてしまう。
【０００４】
本発明は、内部に電子機器を収納し、当該電子機器の発生する騒音を削減する、静音ラックを提供することを目的とする。
【課題を解決するための手段】
【０００５】
上記目的を達成するためになされた本願の第１発明は、内部に電子機器を収納し、電子機器の騒音を削減するための静音ラックであって、電子機器を配置する収納箱体と、前記収納箱体に外部から空気を導入する吸気箱体と、前記収納箱体から外部に空気を排出する排気箱体と、からなり、前記吸気箱体及び前記排気箱体を膨張室型消音器構造により構成したことを特徴とする静音ラックを提供する。
本願の第２発明は、第１発明の静音ラックにおいて、前記吸気箱体は、外部と接続する吸気口を上部に有すると共に、前記収納箱体と連続する吸気ファンを有し、前記排気箱体は、外部と接続する排気口を下部に有すると共に、前記収納箱体と連続する排気ファンを有することを特徴とする、静音ラックを提供する。
本願の第３発明は、第１発明又は第２発明の静音ラックにおいて、前記収納箱体は、前記吸気箱体と前記排気箱体間を遮断する遮蔽板を有することを特徴とする、静音ラックを提供する。
本願の第４発明は、第１発明乃至第３発明のいずれかの静音ラックにおいて、前記吸気箱体及び前記排気箱体は扉体であり、前記吸気箱体及び前記排気箱体は前記収納箱体に嵌合することを特徴とする、静音ラックを提供する。
本願の第５発明は、第１発明乃至第４発明のいずれかの静音ラックにおいて、前記収納箱体は、下部に配線取り出し口を有し、前記配線取り出し口は、吸音体により封止することを特徴とする、静音ラックを提供する。
【発明の効果】
【０００６】
本発明は、上記した課題を解決するための手段により、次のような効果の少なくとも一つを得ることができる。
＜１＞外部と接続する吸気箱体及び排気箱体を膨張室型消音器構造とすることにより、収納箱体から静音ラック外に漏れ出す騒音を削減できる。
＜２＞吸気ファンと排気ファンによるプッシュプル換気構造であるため、騒音を抑えながら、冷却に必要な風量を確保できる。
＜３＞遮蔽板によって収納箱体内部での気流の逆流を防ぎ、冷却効率を高めることができる。
＜４＞吸気箱体及び排気箱体が開閉可能な扉体であるため、電子機器を配置する収納箱体内の作業効率が高い。
＜５＞吸気箱体と収納箱体及び排気箱体と収納箱体とを嵌合構造とすることにより、各々の接続部分から騒音が漏れ出すのを防止する。
＜６＞配線取り出し口を吸音体により封止することにより、配線取り回し時の作業性と、騒音削減性能を両立する。
【図面の簡単な説明】
【０００７】
【図１】本発明の静音ラックの実施例の斜視図
【図２】本発明の静音ラックの実施例の断面図
【図３】本発明の静音ラックの実施例を形成する板体の断面図
【図４】各箱体の嵌合構造の説明図
【図５】配線取り出しユニットの説明図
【図６】配線取り出し口の説明図
【発明を実施するための形態】
【０００８】
以下、図面を参照しながら本発明の実施の形態について説明する。
【実施例】
【０００９】
＜１＞全体の構成
本発明の静音ラック１は、パソコンやサーバー等、騒音を発生する電子機器２を内部に配置し、騒音が周囲に広がるのを削減するものである。
本発明の静音ラック１は、内部に電子機器２を配置する収納箱体３、収納箱体３の開放面を封止する吸気箱体４及び排気箱体５の、３つの箱体を接続して構成する。（図１、図２）
【００１０】
＜２＞収納箱体３
収納箱体３は内部に電子機器２を収納する箱体である。
収納箱体３は内側からウレタン層１１１、プライウッド層１１２、ＦＲＰ層１１３の三層からなる板体１１によって構成する。（図３）
板体１１のウレタン層１１１は波形のウレタンによって構成する。ウレタンを波形状にすることにより表面積を拡大し、効率よく中音〜高音域を吸収する。
そしてプライウッド層１１２によって低音〜中音域を吸収・遮断し、ＦＲＰ層１１３によって表面を密閉する。
また、収納箱体３は板体１１を組み合わせて構成するため、板体１１の大きさを調整することにより、電子機器２の大きさや台数等に合わせた、適正サイズの大きさの収納箱体３を構成することができる。
【００１１】
＜３＞収納箱体３の構造
収納箱体３は対向する二面を開放した箱体とし、開放した二面はそれぞれ吸気箱体４、排気箱体５によって封止して密閉構造となる。
収納箱体３内部には、収納箱体３を横断するように、遮蔽板６を配置する。
遮蔽板６は、収納箱体３の開放した二面が空間的に連続することがないように、電子機器２を包囲して配置する。
【００１２】
＜４＞吸気箱体４
吸気箱体４は、収納箱体３内部の電子機器２を冷却するための空気を、収納箱体３に導入するためのものである。
吸気箱体４は、外部と接続する吸気口４１を上部に設ける。また、外部空気を収納箱体３に導入するための吸気ファン４２を吸気口４１より下部に設ける。吸気ファン４２の出口は収納箱体３と接続する。その他の部位は、収納箱体３と同様、板体１１により密閉して構成する。
吸気箱体４内部に設けた吸気ファン４２により、外部空気が吸気口４１から吸気箱体４内部に導入し、導入した空気を吸気ファン４２によって収納箱体３内に導入する。
【００１３】
＜５＞吸気箱体４の構造
吸気箱体４は外部空気を導入する吸気口４１と、導入した空気を収納箱体３に送るための吸気ファン４２の断面を、吸気箱体４の本体部分よりも小さくして開口することにより、吸気箱体４の本体部分よりも入口と出口が狭い、膨張室（チャンバー）型消音器構造とする。
膨張室型消音器構造とすることにより、収納箱体３内部の電子機器２が発生する騒音が、吸気箱体４を通過して吸気口４１から漏出するのを防止できる。
また、吸気ファン４２も騒音を発生するため、吸気ファン４２から発生する騒音が吸気口４１から漏れ出すことがないように、吸気ファン４２と吸気口４１とは離して設けた方がよい。
【００１４】
＜６＞排気箱体５
排気箱体５は、収納箱体３内部の電子機器２を冷却して温度が上昇した空気を、収納箱体３から排出するためのものである。
排気箱体５は、外部と接続する排気口５１を下部に設ける。また、収納箱体３内部の空気を排出するための排気ファン５２を排気口５１より上部に設ける。
排気ファン５２の入口は収納箱体３と接続する。その他の部位は、収納箱体３及び吸気箱体４と同様、板体１１により密閉して構成する。
排気箱体５内部に設けた排気ファン５２により、収納箱体３内部の空気が排気箱体５内部に排出され、排出された空気は排気ファン５２によって排気口５１から排気箱体５外に排出される。
【００１５】
＜７＞排気箱体５の構造
排気箱体５は収納箱体３内部の空気を排出するための排気ファン５２と、空気を外部に排出する排気口５１の断面を、排気箱体５の本体部分よりも小さくして開口することにより、排気箱体５の本体部分よりも入口と出口が狭い、膨張室（チャンバー）型消音器構造とする。
膨張室型消音器構造とすることにより、収納箱体３内部の電子機器２が発生する騒音が、排気箱体５を通過して排気口５１から漏出するのを防止できる。
また、排気ファン５２も騒音を発生するため、排気ファン５２から発生する騒音が排気口５１から漏れ出すことがないように、排気ファン５２と排気口５１とは離して設けた方がよい
【００１６】
＜８＞空気の流れ
静音ラック１外部から吸気箱体４内部に導入した空気は、吸気ファン４２によって収納箱体３内部に導入する。
収納箱体３内部に導入した空気は、電子機器２を通過する。そして、電子機器２の冷却によって高温となった空気は、、排気箱体５に配置した排気ファン５２によって排気箱体５に導入され、排気口５１から排気される。
収納箱体３内部には遮蔽板６が配置されているため、電子機器２の冷却によって高温となった空気は、収納箱体３内部で循環することなく、排気箱体５に導入される。
また、吸気ファン４２及び排気ファン５２によるプッシュプル換気構造であるため、騒音を抑えながら、電子機器２の冷却に必要十分な外部の空気量を導入することができる。
【００１７】
＜９＞扉体構造
吸気箱体４及び排気箱体５は、ヒンジ等により収納箱体３に開閉自在に連結する扉体とする。
収納箱体３の対向する二面を封止する吸気箱体４及び排気箱体５を扉体とすることにより、収納箱体３内部に配置する電子機器２の前面と背面を視認しながら作業することができるため、電子機器２の設置や配線等の、収納箱体３内部での作業効率が高い。
また、収納箱体３の開放面の周囲に凸部３１を形成し、吸気箱体４及び排気箱体５に凸部３１に対応する凹部４３、５３を形成し、凸部３１と凹部４３、５３が嵌合するように形成する。
収納箱体３と、吸気箱体４及び排気箱体５を嵌合構造とすることにより、各々の接続部分から静音ラック１内部の騒音が漏れ出すのを防止することができる。
【００１８】
＜１０＞配線の取り出し
電子機器２を収納する収納箱体３には、電源ケーブルやＬＡＮケーブル等の電子機器２用の配線９を通す、配線取り出し口７を形成し、配線取り出し口７には、配線取り出しユニット８を設ける。（図５）
配線取り出しユニット８は、本体８１と蓋体８２とからなる略直方体の部材であり、本体８１の底面には開口８１１を設ける。そして、本体８１内部底面及び蓋体８２下面には、ウレタン等からなる吸音体８３を設ける。
本体８１は、配線取り出し口７に嵌設する。（図６）
本体８１は、ビス等により固定する。
配線９は、本体８１の開口８１１から収納箱体３の外部に導出する。
そして、蓋体８２の吸音体８３ａと、本体８１の吸音体８３ｂで配線９を挟持しながら、蓋体８２をビス等により固定して開口８１１を封止する。
吸音体８３は、ウレタン等により構成するため、配線取り出しユニット８内部は、配線９の周囲を吸音体８３により包囲して封止した状態となる。このため、開口８１１の密閉度が高く、静音ラック１内部の騒音が外部に漏れ出すのを防止することができる。
また、配線取り出し口７に設けた配線取り出しユニット８の本体８１の開口８３に配線９を通し、蓋体８２により封止する構成であるため、配線作業、封止作業が容易である。
【符号の説明】
【００１９】
１      静音ラック
１１    板体
１１１  ウレタン層
１１２  プライウッド層
１１３  ＦＲＰ層
２      電子機器
３      収納箱体
３１    凸部
４      吸気箱体
４１    吸気口
４２    吸気ファン
４３    凹部
５      排気箱体
５１    排気口
５２    排気ファン
５３    凹部
６      遮蔽板
７      配線取り出し口
８      配線取り出しユニット
８１    本体
８１１  開口
８２    蓋体
８３    吸音体
９      配線
【図１】
2011228527.tif 000003
【図２】
2011228527.tif 000004
【図３】
2011228527.tif 000005
【図４】
2011228527.tif 000006
【図５】
2011228527.tif 000007
【図６】
2011228527.tif 000008